(57)【特許請求の範囲】
【請求項１】
着用者に着用されて着用者から排出された便を保持する吸収性物品であって、
液体を吸収する吸収体と、
着用時に前記吸収体に対して着用者側となる側において前記吸収体に接合されており、液体を透過することができるシートと、
伸縮性を有し、伸長された状態で配され、前記シートに接合されている弾性部材と、を備え、
前記シートは、前記吸収体が液体を吸収していない状態において、前記伸長された状態の前記弾性部材が接合されており、かつ、前記吸収体に拘束されており、前記吸収体が液体を吸収した状態において、前記吸収体への拘束を解除されるように、前記吸収体に接合されており、
前記弾性部材は、前記シートが前記吸収体に接合されている部位とは異なる部位において、前記シートに接合されている、吸収性物品。
【請求項２】
請求項１記載の吸収性物品であって、
伸長された状態で並んで配され、それぞれ前記シートに接合されている一対の前記弾性部材を備える、吸収性物品。
【請求項３】
請求項１または２に記載の吸収性物品であって、
前記シートは、前記弾性部材の伸長方向に離れた二つの部位において、液体との接触の有無によらず前記吸収体に拘束されるように、前記吸収体に固定されている、吸収性物品。
【請求項４】
請求項１または２に記載の吸収性物品であって、
前記シートは、着用者の前後方向について着用者の大小便が及ぶことが想定される範囲を超える範囲において、前記吸収体に接合されている、吸収性物品。
【請求項５】
請求項１から４のいずれか１項に記載の吸収性物品であって、
前記弾性部材は、伸長方向に沿って、断続的に前記シートに接合されている、吸収性物品。
【請求項６】
請求項１から５のいずれか１項に記載の吸収性物品であって、
前記シートは、前記吸収体に圧着により接合されている、吸収性物品。
【請求項７】
請求項１から６のいずれか１項に記載の吸収性物品であって、
前記吸収体、前記シートおよび前記弾性部材が、着用者の両太腿の間から少なくとも背の一部に位置するように構成される、吸収性物品。
【発明の詳細な説明】
【技術分野】
【０００１】
本発明は、着用者に着用された状態において、着用者から排出された便を保持する吸収性物品に関するものである。
【背景技術】
【０００２】
従来、斜め格子状の凹部が表面に配された吸収体が存在する（特許文献１）。この吸収体は、体型によくフィットするように各吸収部の形状が変化しやすく、各吸収部の肌面に対する密着性が高められるため、歩行している時や座っている時などでも体型適合性に優れる。
【０００３】
また、表面シートに、前後方向に沿って複数の弾性部材及び複数の切り込み部を設けた吸収性物品が存在する（特許文献２）。各切り込み部は、左右方向に間隔をあけ、かつ前後方向に沿って略直線状に設けられた２つのスリットを備えている。表面シートに前後方向の張力が付与されている場合には、表面シートは平坦な状態に保持される。一方、張力が解除されると、弾性部材の収縮力により表面シートは部分的に前後方向に収縮され、２つのスリットの間の部分が、肌面側に立ち上がる。その結果、３次元的な凹凸構造が形成される。この凸部により、軟便に含まれる流動性の高い液体成分の前後方向への流れが阻止される。
【先行技術文献】
【特許文献】
【０００４】
【特許文献１】特開２０１２−１４３５３５号公報
【特許文献２】特開２００９−４５３３４号公報
【発明の概要】
【発明が解決しようとする課題】
【０００５】
特許文献１の技術においては、着用者が軟便を排泄した後、格子状の凹部に沿って軟便が移動しやすい。その結果、着用者と吸収性物品との間において、軟便が広がりやすいため、広がった軟便が腹まわりや脚まわりにおける隙間から漏れるおそれがあり、また、吸収性物品を交換する際に、作業者の負担が大きいという問題が存在する。また、特許文献２の技術においても、表面シート上に形成される凸部による軟便の移動を抑制する効果は、十分ではなく、改善の余地を残していた。
【課題を解決するための手段】
【０００６】
本発明は、上述の課題の少なくとも一部を解決するためになされたものであり、以下の形態又は適用例として実現することが可能である。
【０００７】
（１）本発明の一形態によれば、着用者に着用されて着用者から排出された便を保持する吸収性物品が提供される。この吸収性物品は：液体を吸収する吸収体と；着用時に前記吸収体に対して着用者側となる側において前記吸収体に接合されており、液体を透過することができるシートと；伸縮性を有し、伸長された状態で配され、前記シートに接合されている弾性部材と、を備える。前記シートは、前記吸収体が液体を吸収していない状態において、前記吸収体に拘束されており、前記吸収体が液体を吸収した状態において、前記吸収体への拘束を解除されるように、前記吸収体に接合されている。
このような態様においては、軟便が排泄される前の状態においては、シートは吸収体に拘束されている。このため、シートと吸収体とが、一体的に着用者の身体の外形形状に沿うことができ、吸収性物品の着用感が良好である。一方、軟便が排泄された後には、吸収体のうち、シートを透過した軟便中の水分を吸収した部位において、吸収体からシートが離れる。そして、シートのうち吸収体から離れた部位は、伸長状態にあった弾性部材が収縮することによって、縮小され、吸収体と着用者との間において波状の凹凸を形成する。その結果、シートのうち着用者側から見て凹部となっている部位において、軟便が保持される。よって、軟便が排泄された部位において、軟便の移動を抑制することができる。
【０００８】
（２）上記形態の吸収性物品において、伸長された状態で並んで配され、それぞれ前記シートに接合されている一対の前記弾性部材を備える、態様とすることができる。このような態様においては、伸長状態にあった一対の弾性部材の収縮によって、シートのうち吸収体から離れた部位が、吸収体と着用者との間において波状の凹凸を形成する。その結果、一対の弾性部材の間であって、シートの波状の形状のうち着用者から見て凹部となっている部位において、軟便が保持される。
【０００９】
（３）上記形態の吸収性物品において、前記シートが、前記弾性部材の伸長方向に離れた二つの部位において、液体との接触の有無によらず前記吸収体に拘束されるように、前記吸収体に固定されている、態様とすることができる。このような態様とすれば、吸収体が広範囲にわたって液体と接触した場合にも、シートと吸収体とは、弾性部材の伸長方向に離れた二つの部位において、拘束されている。このため、それらの二つの部位の間において、吸収体から離れたシートが、弾性部材の収縮によって吸収体から離間し、波状の凹凸を形成する。その結果、当該部位において、軟便の移動を抑制することができる。
【００１０】
（４）上記形態の吸収性物品において、前記シートが、着用者の前後方向について着用者の大小便が及ぶことが想定される範囲を超える範囲において、前記吸収体に接合されている、態様とすることができる。このような態様においては、吸収性物品が適切に着用されることにより、軟便が排泄された後に、軟便の水分を吸収した部位の吸収体から離れたシートが、少なくとも大小便が及ぶことが想定される範囲外の両側の部位において、吸収体に拘束された状態で、弾性部材の収縮によって吸収体から離間し、波状の凹凸を形成する。その結果、軟便の水分を吸収した部位の吸収体から離れたシートにおいて、軟便の移動を抑制することができる。
【００１１】
（５）上記形態の吸収性物品において、前記弾性部材が、前記シートが前記吸収体に接合されている部位とは異なる部位において、前記シートに接合されている、態様とすることができる。このような態様とすれば、シートと吸収体との間の接合と、シートと弾性部材との間の接合とを、それぞれの機能を損なうことなく、実現することができる。
【００１２】
（６）上記形態の吸収性物品において、前記弾性部材が、伸長方向に沿って、断続的に前記シートに接合されている、態様とすることができる。このような態様とすれば、弾性部材のうち、シートに拘束されている部分と、シートに拘束されていない部分との寸法を適切に設定することにより、弾性部材が収縮した際の波状の形状を好ましい形状に設定することができる。よって、そのように構成された吸収性物品により、好適に軟便の移動を抑制することができる。
【００１３】
（７）上記形態の吸収性物品において、前記シートが、前記吸収体に圧着により接合されている、態様とすることができる。このような態様とすれば、吸収体が液体を吸収していない状態において、吸収体に拘束されており、吸収体が液体を吸収した状態において、吸収体への拘束を解除されるように、シートを吸収体に接合する手段とは別の接合手段を用いることなく、吸収性物品を構成することができる。なお、前記吸収体は、液体を吸収することができる吸収性樹脂を含んでいることが好ましい。そして、前記シートの前記吸収体への圧着は、前記吸収性樹脂が液体を吸収していない状態において、前記シートが前記吸収体に拘束されており、前記吸収性樹脂が液体を吸収した状態において、前記シートの前記吸収体への拘束を解除されるように、行われていることが好ましい。
【００１４】
（８）上記形態の吸収性物品において、前記吸収体、前記シートおよび前記弾性部材が、着用者の両太腿の間から少なくとも背の一部に位置するように構成される、態様とすることができる。このような態様とすれば、着用者から排出された軟便を、排出された部位の近傍において、適切に保持することができる。
【００１５】
本発明は、吸収性物品の種々の形態で実現することが可能である。たとえば、おむつ、より具体的にはテープ型やパンツ型のおむつ、生理用品、尿取りライナー、軽失禁パッド等の様々な形態で実現することができる。
【図面の簡単な説明】
【００１６】
【図１】第１実施形態の吸収体を備えたテープ型紙おむつ１０を示す平面図である。
【図２】図１のＡ−Ａ断面における第１実施形態のテープ型紙おむつ１０の構造を模式的に示す断面図である。
【図３】図１のＢ−Ｂ断面における第１実施形態のテープ型紙おむつ１０の構造を模式的に示す断面図である。
【図４】図３に示したテープ型紙おむつ１０において、吸収体３が液体を吸収した状態を模式的に示す断面図である。
【図５】第１実施形態のテープ型紙おむつ１０の中央部１０Ｍを示す図である。
【図６】図５に示したテープ型紙おむつ１０において、吸収体３が液体を吸収した状態を示す図である。
【図７】比較例のテープ型紙おむつの中央部１０Ｍに相当する部位を示す図である。
【図８】第２実施形態の吸収体を備えたテープ型紙おむつ１０ｂを示す平面図である。
【発明を実施するための形態】
【００１７】
Ａ．第１実施形態：
図１は、第１実施形態の吸収体を備えたテープ型紙おむつ１０を示す平面図である。テープ型紙おむつ１０は、表面シート１と、カバーシート２と、表面シート１とカバーシート２の間に配される吸収体３および防水シート４と、固定テープ５２と、フロントパッチ５４と、ウェスト伸縮材５６と、を基本構成として備える。
【００１８】
表面シート１は、テープ型紙おむつ１０が着用者に着用される際に、着用者側となる側に配されるシートである。表面シート１は、着用者の尿や体液を透過させることができる素材で構成される。
【００１９】
表面シート１を構成する材料としては、たとえば、織布、不織布、多孔性フィルム、網目を有するネット状シートを採用することができる。ただし、表面シート１は、不織布であることが好ましい。不織布としては、スパンボンド不織布、ニードルパンチ不織布、スパンレース不織布、エアースルー不織布を用いることができる。
【００２０】
カバーシート２は、テープ型紙おむつ１０が着用者に着用される際に、外側（着用者側とは逆の側）となる側に配されるシートである。カバーシート２は、テープ型紙おむつ１０の強度を高め、テープ型紙おむつ１０の手触りをよくする機能を奏する。カバーシート２は、平面視した際に表面シート１と略一致する形状を有している。図１においては、カバーシート２は、表面シート１で隠されているため、裏面側に位置するカバーシート２の符号「２」を、破線の引き出し線で示す。
【００２１】
カバーシート２を構成する材料としては、織布、および不織布を採用することができる。不織布としては、ポリエチレン、ポリプロピレン、ポリエステル等の熱可塑性樹脂からなる乾式不織布、湿式不織布を用いることが好ましい。
【００２２】
吸収体３は、着用者の尿や体液を吸収し、保持する部材である。吸収体３は、略長方形の平面形状を有する板状（シート状）の部材である。吸収体３の長手方向の長さは、着用者の大小便が及ぶことが想定される範囲ＳＲの長さと一致しており、本実施形態において５０ｃｍである。なお、着用者の大小便が及ぶことが想定される範囲ＳＲは、着用者の個人差や着用の際の位置ズレ等を考慮の上、十分な余裕を持って設定されている。
【００２３】
吸収体３は、表面シート１とカバーシート２の間に配される。吸収体３は、テープ型紙おむつ１０が着用者に着用される際に、着用者の大小便が及ぶことが想定される範囲ＳＲに吸収体３が位置するように、表面シート１とカバーシート２の間において配されている。より具体的には、吸収体３は、テープ型紙おむつ１０が着用者に着用される際に、着用者の両太腿の間から背中の一部（下部）にかけて吸収体３が位置するように、表面シート１とカバーシート２の間において配されている。
【００２４】
図１において、吸収体３は、表面シート１に覆われているため、吸収体３の外形を破線の長方形で示す。吸収部３２は、液体を吸収することができる繊維と、液体を吸収し保持することができる樹脂と、で構成される。吸収体３の構成および材料については、後にさらに説明する。
【００２５】
図１ならびに後に説明する図２および図８において、空間において互いに直交するＸ軸、Ｙ軸、Ｚ軸を示す。Ｘ軸は、略長方形の平面形状を有する吸収体３の長手方向と一致する軸である。Ｙ軸は、吸収体３の短手方向と一致する軸である。Ｚ軸は、板状の部材である吸収体３の厚み方向と一致する軸である。本願明細書において「平面視した際」の形状を記述する場合、「平面視」はＺ軸方向に沿って行われるものとする。
【００２６】
表面シート１と吸収体３とは、一部の線状の部位１２２において互いに熱圧着されている。表面シート１は、吸収体３が液体を吸収していない状態において、吸収体３に拘束されており、吸収体３が液体を吸収した状態において、吸収体３への拘束を解除されるように、吸収体３に接合されている。その結果、表面シート１と吸収体３とは、使用前の状態においては、一体である。
【００２７】
このような態様とすることにより、工場内におけるテープ型紙おむつ１０の生産過程において、また、テープ型紙おむつ１０の完成後の搬送過程において、テープ型紙おむつ１０およびその中間品を取り扱う際の取り扱いが容易となる。なお、本明細書において、表面シート１と吸収体３とが熱圧着されている線状の部位１２２を「圧着部１２２」とも呼ぶ。
【００２８】
圧着部１２２は、表面シート１の他の部位に比べてへこんでおり、溝状に形成されている。そして、溝状の圧着部１２２は、テープ型紙おむつ１０を平面視した際に、Ｘ軸およびＹ軸とそれぞれ４５度をなす格子状に配される。このような構成とすることにより、テープ型紙おむつ１０と着用者の間において、互いに連通する圧着部１２２を通って空気が流通し、各部の温度および湿度が均一化される。その結果、着用者は、快適にテープ型紙おむつ１０を着用できる。
【００２９】
表面シート１の圧着部１２２は、テープ型紙おむつ１０において、表面シート１と吸収体３とが重なる部位全体に及ぶ。なお、図１においては、ひれ部６２，６２によって、圧着部１２２の一部が隠されている。ひれ部６２，６２については、後にさらに説明する。
【００３０】
防水シート４は、着用者から排出された尿および体液や、吸収体３が吸収し保持している尿および体液が、テープ型紙おむつ１０外に漏出する事態を防止するための部材である。防水シート４は、略長方形の平面形状を有する。防水シート４は、吸収体３とカバーシート２の間に配される。防水シート４は、平面視した際に、その外輪郭が吸収体３の外輪郭を囲む大きさおよび配置で、構成され、吸収体３とカバーシート２の間に配される。図１において、防水シート４は、表面シート１に覆われているため、防水シート４の外形を破線の長方形で示す。防水シート４は、着用者の尿や体液を透過させない材料によって構成される。
【００３１】
防水シート４の材料としては、ポリエチレン等の合成樹脂フィルム、不織布と合成樹脂フィルムとの複合シート（例えばスパンボンド等の不織布に通気性の合成樹脂フィルムが挟まれたシート）からなる液不透過性フィルムを採用することができる。なお、防水シート４の材料としては、液体水を透過せず水蒸気を透過することができる、いわゆる透湿性を有する液不透過性フィルムを用いることが好ましい。透湿性のある液不透過性フィルムとしては、０．１〜０．５μｍの微細な孔を有する微多孔性ポリエチレンフィルムを採用することができる。
【００３２】
テープ型紙おむつ１０は、前部１０Ｆ、中央部１０Ｍおよび後部１０Ｂを備える。前部１０Ｆは、テープ型紙おむつ１０が着用者に着用される際に、着用者の腹側に位置する部位である。後部１０Ｂは、テープ型紙おむつ１０が着用者に着用される際に、着用者の背側に位置する部位である。中央部１０Ｍは、テープ型紙おむつ１０が着用者に着用される際に、着用者の股下（両太腿の間）に位置する部位である。
【００３３】
中央部１０Ｍは、テープ型紙おむつ１０が平面に沿って展開されている状態（図１参照）において、Ｘ軸方向について、前部１０Ｆと後部１０Ｂの間に位置する部位である。テープ型紙おむつ１０が平面に沿って展開されている状態において、前部１０Ｆは、中央部１０Ｍに対して、Ｘ軸方向の＋側に位置する。テープ型紙おむつ１０が平面に沿って展開されている状態において、後部１０Ｂは、中央部１０Ｍに対して、Ｘ軸方向の−側に位置する。
【００３４】
前述のように、表面シート１とカバーシート２とは、Ｚ軸方向に沿って平面視した際に、略一致する形状を有している。表面シート１とカバーシート２は、中央部１０Ｍに比べて、前部１０Ｆおよび後部１０Ｂにおいて、Ｙ軸方向に大きい形状で設けられている。表面シート１とカバーシート２を含むテープ型紙おむつ１０は、Ｘ軸方向に平行な中心軸ＣＬ１を中心として、Ｙ軸方向に略線対称な構成を有する。
【００３５】
表面シート１とカバーシート２の後部１０ＢのＹ軸方向の両側には、固定テープ５２が設けられている。固定テープ５２は、フロントパッチ５４とともに、テープ型紙おむつ１０が着用者に着用される際に、テープ型紙おむつ１０を着用者に留めるための構成である。一対の固定テープ５２は、表面シート１とカバーシート２の後部１０ＢのＹ軸方向の両側の端から、それぞれＹ軸方向＋側および−側に突出している。各固定テープ５２の基部は、表面シート１とカバーシート２の間に配されて、固定されている。
【００３６】
カバーシート２上の二つの固定テープ５２の間の位置には、ウェスト伸縮材５６が設けられている。ウェスト伸縮材５６はＹ軸方向について伸縮性を有する。ウェスト伸縮材５６は、テープ型紙おむつ１０のうちウェスト伸縮材５６が設けられている位置の近傍の構成（たとえば、表面シート１とカバーシート２）を、Ｙ軸方向に弾性的に伸縮させることができる。
【００３７】
カバーシート２の前部１０ＦのＹ軸方向の略中央部分には、フロントパッチ５４が設けられている。フロントパッチ５４は、固定テープ５２とともに、テープ型紙おむつ１０が着用者に着用される際に、テープ型紙おむつ１０を着用者に留めるための構成である。固定テープ５２とフロントパッチ５４とは、たとえば、面ファスナーとして構成することができる。
【００３８】
テープ型紙おむつ１０が着用者に着用される際には、表面シート１が着用者側に向き、前部１０Ｆが着用者の腹側に位置し、後部１０Ｂが着用者の背側に位置するように、テープ型紙おむつ１０が湾曲される。その状態で、背側に位置する二つの固定テープ５２の先端部分が、それぞれ腹側に位置するフロントパッチ５４に貼られることにより、テープ型紙おむつ１０の上端部が着用者の胴囲を囲む形状となる。その際、二つの固定テープ５２が図１のＹ軸方向の両側に引かれ、ウェスト伸縮材５６が伸ばされている状態で、二つの固定テープ５２が腹側に位置するフロントパッチ５４に貼られる。その結果、ウェスト伸縮材５６の収縮力によって、着用者の胴囲を囲むテープ型紙おむつ１０が着用者の胴囲を緩やかに締め付けて、テープ型紙おむつ１０の脱落を防止する。
【００３９】
図２は、図１のＡ−Ａ断面における第１実施形態のテープ型紙おむつ１０の構造を模式的に示す断面図である。図２において、テープ型紙おむつ１０の中心ＣＬ２を一点鎖線で示す。なお、図２は、テープ型紙おむつ１０の各構成の寸法を正確に反映するものではない。図２においては、技術の理解を容易にするため、テープ型紙おむつ１０の各構成を互いに離間して示している。しかし、実際には、図２に示す各構成は、少なくともＺ軸方向について、互いに接触して積層されている。
【００４０】
吸収体３は、吸収部３２と、吸収部３２を覆うコアラップシート３３と、を備える。吸収部３２は、略長方形の平面形状を有する板状（シート状）の部材である。吸収部３２は、液体を吸収することができる繊維（本明細書において「吸収性繊維」とも表記する）と、液体を吸収し保持することができる樹脂（本明細書において「吸収性樹脂」とも表記する）と、で構成される。
【００４１】
吸収性繊維は、いわゆるフラッフパルプ（綿状パルプ）として構成することができる。吸収性繊維としては、パルプ繊維、レーヨン繊維、またはコットン繊維のようなセルロース系繊維の短繊維（繊維長５ｍｍ以下のもの）や、ポリエチレン、ポリプロピレン、またはポリエチレンテレフタレート等の合成繊維に親水化処理を施した短繊維（繊維長５ｍｍ以下のもの）を採用することができる。吸収部３２を構成する際には、これらの繊維を単独で用いることもでき、複数種類の繊維を組み合わせて用いることもできる。
【００４２】
吸収部３２においては、粒状の吸収性樹脂が、吸収性繊維の隙間に埋没されて保持されている。吸収性樹脂としては、水を吸収し保持することのできる架橋構造を持つ親水性ポリマー、いわゆる「高吸収性ポリマー」（ＳＡＰ：Ｓｕｐｅｒ  Ａｂｓｏｒｂｅｎｔ  Ｐｏｌｙｍｅｒ）を採用することができる。
【００４３】
吸収部３２が保持する吸収性樹脂としては、デンプン系、セルロース系、または合成ポリマー系の樹脂を採用することができる。より具体的には、吸収性樹脂として、デンプン−アクリル酸（塩）グラフト共重合体、デンプン−アクリル酸エチルグラフト共重合体のケン化物、デンプン−メタクリル酸メチルグラフト共重合体のケン化物、デンプン−アクリロニトリルグラフト共重合体のケン化物、デンプン−アクリルアミドグラフト共重合体のケン化物、ポリアクリル酸（塩）、アクリル酸で架橋されたポリエチレンオキシド、ナトリウムカルボキシメチルセルロースの架橋物、ポリビニルアルコール−無水マレイン酸反応物の架橋物等を採用することができる。本実施形態においては、自重の２０倍以上の水分を吸収し得る高い吸収性能を有する、ポリアクリル酸ナトリウムを採用する。
【００４４】
コアラップシート３３は、吸収部３２を覆っている。コアラップシート３３は、吸収部３２の表面シート１側に配されて吸収部３２の表面シート１側の一部を覆う第１のシート３３１と、吸収部３２の他の部位を覆う第２のシート３３２と、から構成される。第１のシート３３１および第２のシート３３２の素材としては、たとえば、ティッシュペーパ等の紙を採用することができる。ティッシュペーパとしては、坪量が１０〜３０ｇ／ｍ2のものを採用することができる。また、コアラップシート３３は、不織布とすることもできる。不織布としては、スパンボンド不織布、ニードルパンチ不織布、スパンレース不織布、エアースルー不織布を用いることができる。
【００４５】
表面シート１は、センターシート１２と、サイドシート１４，１４とを備える。センターシート１２は、カバーシート２とともに、Ｚ軸方向の両側から吸収体３および防水シート４を挟んで、これらのＸＹ面状における位置を固定している。技術の理解を容易にするため図２には表していないが、表面シート１のセンターシート１２と吸収体３とが、圧着部１２２において熱圧着されている（図１参照）。
【００４６】
サイドシート１４，１４は、センターシート１２に対して、Ｙ軸方向の両側に配される。サイドシート１４は、Ｙ軸方向についてテープ型紙おむつ１０の中心ＣＬ２とは逆の側の部位を、センターシート１２に固定されている。より具体的には、サイドシート１４の端部は、センターシート１２のＹ軸方向の端部に固定されている。
【００４７】
サイドシート１４とセンターシート１２とが接合されている部位においては、サイドシート１４とセンターシート１２の間に、３本の弾性部材６６，６６，６６が、Ｘ軸方向に沿って配されている（図１も参照）。弾性部材６６の素材としては、糸ゴム、伸縮性不織布、伸縮性樹脂フィルムなどを採用することができる。テープ型紙おむつ１０が着用者に着用され、センターシート１２、吸収体３、防水シート４およびカバーシート２が湾曲した状態においては、弾性部材６６が収縮して、着用者の太腿の付け根を囲むレグギャザーが形成される。レグギャザーは、着用者とテープ型紙おむつ１０の間から尿や便が漏出する事態を防止する。
【００４８】
サイドシート１４のＹ軸方向について中心ＣＬ２の側の部位は、センターシート１２側に折り返されて、互いに固定されている。サイドシート１４の折り返された部位は、センターシート１２に固定されていない。当該部位は、ひれ部６２を構成する。ひれ部６２の先端近傍には、２本の弾性部材６４，６４がサイドシート１４挟まれて固定されている。弾性部材６４の素材としては、糸ゴム、伸縮性不織布、伸縮性樹脂フィルムなどを採用することができる。弾性部材６４，６４は、Ｘ軸方向に沿って配されている（図１参照）。
【００４９】
ひれ部６２は、テープ型紙おむつ１０が平面に沿って展開されている状態において、センターシート１２上に重ねられている（図１の６２および図２の実線の６２参照）。このとき、弾性部材６４は伸長した状態にある。一方、テープ型紙おむつ１０が着用者に着用され、センターシート１２、吸収体３、防水シート４およびカバーシート２が湾曲した状態においては、弾性部材６４，６４が収縮して、センターシート１２よりも湾曲の内側を通ることから、センターシート１２に対して、ひれ部６２が立ち上がる（図２の破線で示す６２参照）。その結果、立体ギャザーが形成される。立体ギャザーは、レグギャザーとともに、着用者とテープ型紙おむつ１０の間から尿や便が漏出する事態を防止する。
【００５０】
センターシート１２の吸収体３側（Ｚ軸方向−側）の面には、一対の弾性部材６８，６８が、伸長された状態で接合されている。弾性部材６８の素材としては、糸ゴム、伸縮性不織布、伸縮性樹脂フィルムなどを採用することができる。本実施形態においては、弾性部材６８は、ポリウレタン製の弾性繊維とする。
【００５１】
弾性部材６８，６８は、吸収体３のＹ軸方向の両端近傍の位置に、Ｘ軸方向に沿って配されている（図１も参照）。このような構成とすることにより、着用者から軟便が排出された際に、軟便を保持する弾性部材６８，６８の間のセンターシート１２の領域を、広く確保することができる。着用者から軟便が排出された際の軟便の保持の効果については、後に説明する。
【００５２】
センターシート１２と弾性部材６８，６８とは、センターシート１２が着用者の尿や体液で濡れた状態にあっても、互いの拘束を維持するように接合されている。そして、センターシート１２と弾性部材６８，６８とは、Ｘ軸方向に沿って断続的に接合されている。
【００５３】
また、センターシート１２と弾性部材６８，６８は、弾性部材６８，６８の伸長方向（Ｘ軸方向）に互いに離れた部位３Ｆ１，３Ｆ２において、吸収体３に固定されている（図１参照）。より具体的には、センターシート１２と弾性部材６８，６８は、吸収体３のＸ軸方向の両端近傍の部位３Ｆ１，３Ｆ２において、吸収体３に固定されている。なお、本明細書において「吸収体３の端近傍」とは、吸収体３の端から吸収体３の全長の１／５以下の範囲を意味する。センターシート１２と弾性部材６８，６８は、センターシート１２や弾性部材６８，６８や吸収体３が着用者の尿や体液で濡れた状態にあっても、拘束が維持されるように、Ｘ軸方向の両端近傍の部位３Ｆ１，３Ｆ２において、吸収体３に固定されている。
【００５４】
吸収体３の一方の面に、表面シート１を積層し、他方の面に防水シート４およびカバーシート２を取りつけることで、テープ型紙おむつ１０を生成することができる（図１および図２参照）。なお、固定テープ５２と、フロントパッチ５４と、ウェスト伸縮材５６とは、あらかじめ、カバーシート２に取りつけられる。
【００５５】
図３は、図１のＢ−Ｂ断面における第１実施形態のテープ型紙おむつ１０の構造を模式的に示す断面図である。図３は、テープ型紙おむつ１０のＢ−Ｂ断面のうち、吸収体３が設けられている範囲の一部の断面を示す。図３は、圧着部１２２の数やテープ型紙おむつ１０の各構成の寸法を正確に反映するものではない。図３に示すテープ型紙おむつ１０は、吸収体３が液体を吸収していない状態におけるテープ型紙おむつ１０である。
【００５６】
図３に示すように、吸収体３が液体を吸収していない状態においては、複数の圧着部１２２において、センターシート１２（表面シート１）と弾性部材６８は、吸収体３（第１のシート３３１、吸収部３２、および第２のシート３３２）に圧着され、拘束されている。その結果、センターシート１２と、弾性部材６８と、吸収体３と、カバーシート２とは、一体として湾曲している。このため、テープ型紙おむつ１０は、着用者の身体ＵＢに沿って一体的に変形し、着用者の身体ＵＢに接することができる。その結果、テープ型紙おむつ１０は、装着感が良好である。
【００５７】
図４は、図３に示したテープ型紙おむつ１０において、吸収体３が液体を吸収した状態を模式的に示す断面図である。図４も、テープ型紙おむつ１０の各構成の寸法を正確に反映するものではない。
【００５８】
吸収体３が液体を吸収した状態においては、吸収部３２の吸収性樹脂と吸収性繊維が液体を吸収して吸収部３２が膨張する。その結果、凹状の圧着部１２２（図３参照）が消失し、センターシート１２（表面シート１）は、吸収体３への拘束を解除される。
【００５９】
すると、弾性部材６８が収縮して、吸収体３よりも湾曲の内側を通ることから、吸収体３に対して、弾性部材６８と、弾性部材６８に固定されているセンターシート１２とが、離れる。弾性部材６８が収縮するのに対して、センターシート１２は弾性部材６８に比べて収縮しないことから、センターシート１２は、着用者の身体ＵＢと、吸収体３および弾性部材６８との間で、波状の凹凸を形成することになる（図４の１２参照）。
【００６０】
センターシート１２と弾性部材６８とは、Ｘ軸方向に沿って断続的に接合されている。このため、センターシート１２のうち、弾性部材６８に接合されている部位は、弾性部材６８に拘束されており、弾性部材６８に接合されていない部位は、弾性部材６８から離れる。その結果、少なくともＹ軸方向（図４の奥行き方向に対応）についての弾性部材６８の近傍においては、センターシート１２と弾性部材６８との接合部位の長さおよび間隔に応じて、センターシート１２は、波状に屈曲する。言い換えれば、センターシート１２と弾性部材６８との接合部位の長さおよび間隔を適切に設定することにより、少なくともＹ軸方向についての弾性部材６８の近傍におけるセンターシート１２の波状の形状（より具体的には、波長または周波数）を、制御することができる。
【００６１】
一方、弾性部材６８をセンターシート１２に接合する際の弾性部材６８の伸長の程度（たとえば、自然長からの伸長距離や伸長率）を適切に設定することにより、少なくともＹ軸方向についての弾性部材６８の近傍におけるセンターシート１２の屈曲の形状（より具体的には、振幅、すなわち波の大きさ）を、制御することができる。
【００６２】
なお、図３および図４においては、弾性部材６８を含む図１のＢ−Ｂ断面における断面図を使用して、本実施形態の作用を説明した。しかし、一対の弾性部材６８の間の部位においても、同様に、弾性部材６８の収縮に伴い、センターシート１２は、着用者の身体ＵＢと吸収体３との間で、波状に屈曲する。
【００６３】
一方、吸収体３が尿や軟便の水分を吸収した後も、Ｙ軸方向の両端におけるセンターシート１２、サイドシート１４およびカバーシート２の固定は維持される（図２の左右端部参照）。このため、センターシート１２と吸収体３との間の空間Ｖａｃは、着用者の前後方向（図４において上下方向）の両端において閉じているだけでなく、着用者の左右方向（図４において奥行き方向、図１および図２においてＹ軸方向）の両端においても、閉じている。図１を参照して説明すると、センターシート１２と吸収体３との間の空間Ｖａｃは、おおまかには、Ｙ軸方向の中心軸ＣＬ１に近いほどＺ軸方向の厚みが大きく、Ｙ軸方向の両端に近いほどＺ軸方向の厚みが小さい。
【００６４】
図５は、第１実施形態のテープ型紙おむつ１０の中央部１０Ｍ（図１参照）を示す図である。図５に示すテープ型紙おむつ１０は、吸収体３が液体を吸収していない状態におけるテープ型紙おむつ１０である。図５より、圧着部１２２において、格子状に、センターシート１２が吸収体３に圧着されていることが分かる。
【００６５】
図６は、図５に示したテープ型紙おむつ１０において、吸収体３が液体を吸収した状態を示す図である。図６より、格子状の圧着部１２２が消滅して、センターシート１２が波状の形状をなし、凹部ＣＰが形成されていることが分かる（図４も参照）。
【００６６】
以上で説明した構成を採用することにより、着用者が軟便を排泄した際には、センターシート１２の凹凸のうち着用者側から見て凹部となっている部位ＣＰにおいて、軟便が保持される（図４および図６参照）。よって、軟便が、排出された部位から前後方向（図４および図６における上下方向に相当）の他の部位に移動するのを抑制することができる。その結果、排出された軟便がテープ型紙おむつ１０内において広がりにくく、おむつを交換する際の作業者の負担が小さい。なお、左右方向（図１におけるＹ軸方向）からの軟便の漏出は、ひれ部６２および弾性部材６４によって形成される立体ギャザー、ならびに弾性部材６６によって形成されるレグギャザーによって、防止される。
【００６７】
また、本実施形態においては、センターシート１２において、一対の弾性部材６８，６８が、吸収体３のＹ軸方向の両端近傍の位置に、Ｘ軸方向に沿って配されている（図１および図２参照）。そして、センターシート１２と吸収体３との間の空間Ｖａｃは、Ｙ軸方向の中心軸ＣＬ１に近いほど厚みが大きい。このため、センターシート１２の屈曲によって形成される凹部ＣＰの深さは、中心軸ＣＬ１に近いほど大きくなる傾向にある（図５参照）。このため、本実施形態においては、着用者の左右方向の中央近傍で、効果的に着用者の軟便を保持することができる。
【００６８】
また、着用者から排出された尿や体液を吸収した後の吸収体３が、表面シート１を介して着用者に密着していると、着用者の肌にかぶれが生じる場合がある。しかし、本実施形態によれば、吸収体３が吸収した後は、表面シート１のセンターシート１２が吸収体３から離れる（図４参照）。その結果、湿った吸収体３と着用者の肌を離すことができ、着用者の肌にかぶれが生じる事態を防止することができる。
【００６９】
さらに、着用者から複数回にわたって尿が排出された場合、２回目、３回目の尿の排出の際には、１回目の尿の排出に比べて、吸収体３における尿の吸収速度が低くなることがある。そのような場合には、液体の状態で吸収体３表面に尿が一定時間残存するため、立体ギャザーおよびレグギャザー（図２の６２，６４，６６参照）を透過して、尿が漏れ出す可能性がある。しかし、本実施形態においては、吸収体３に吸収されていない尿は、センターシート１２と吸収体３との間の閉じた空間Ｖａｃにいったん保持される。そして、徐々に吸収体３に吸収される。このため、テープ型紙おむつ１０から尿が漏れ出す可能性を低減することができる。
【００７０】
また、乾燥時にセンターシート１２を拘束し、液体吸収時にセンターシート１２を解放する吸収体３は、テープ型紙おむつ１０が着用者に着用される際に、着用者の両太腿の間から背中の一部（下部）にかけて吸収体３が位置するように、表面シート１とカバーシート２の間において配されている（図１参照）。このため、排便が行われた際に吸収体３から解放され波状の凹凸形状をなすセンターシート１２は、当該部位において適切に着用者から排出された軟便を受け止め、他の部位への移動を抑制することができる。
【００７１】
本実施形態においては、圧着部１２２は、溝状に設けられている。さらには、溝状に形成される圧着部１２２は、互いが連通するように交差して設けられている。このため、着用者から尿が排出された直後（センターシート１２が吸収体３から離れる前。図３参照）は、尿は、テープ型紙おむつ１０と着用者の間において、溝状の圧着部１２２を通って広範囲に拡散され、吸収体３に吸収される。このため、吸収体３全体を有効に活用して尿を吸収させることができる。そして、その後、センターシート１２の広い範囲が、吸収体３から離間されて凹凸を形成することができる（図４参照）。その結果、センターシート１２の広い範囲に形成された凹部ＣＰによって、好適に便を保持することができる。
【００７２】
図７は、比較例のテープ型紙おむつの中央部１０Ｍ（図１参照）に相当する部位を示す図である。比較例のテープ型紙おむつにおいては、表面シートは、吸収体が液体を吸収した状態においても、格子状の圧着部１２２における吸収体３への拘束を解除されない。比較例のテープ型紙おむつの他の点は、本実施形態のテープ型紙おむつ１０と同じである。図７に示す比較例のテープ型紙おむつは、吸収体が液体を吸収した後の状態におけるテープ型紙おむつである。
【００７３】
図７より、吸収体が液体を吸収した後においても、格子状に、センターシートが吸収体に圧着されていることが分かる。このような態様においては、格子溝状の圧着部１２２に沿って軟便が移動しやすく、テープ型紙おむつと着用者の間において軟便が広がりやすい。その結果、着用者の背側（展開図を示す図１においてＸ軸方向−方向の端）および腹側（図１においてＸ軸方向＋方向の端）から軟便が漏れやすい。
【００７４】
なお、本実施形態におけるテープ型紙おむつ１０が、「課題を解決するための手段」における「吸収性物品」に相当する。表面シート１が「シート」に相当する。
【００７５】
Ｂ．第２実施形態：
第２実施形態のテープ型紙おむつ１０ｂにおいては、Ｘ軸方向について、吸収体３ｂ、防水シート４ｂ、および弾性部材６８ｂが設けられている範囲が第１実施形態のテープ型紙おむつ１０とは異なる。また、圧着部１２２ｂが設けられている範囲が第１実施形態のテープ型紙おむつ１０とは異なる。さらに、センターシート１２ｂと弾性部材６８ｂ，６８ｂとが吸収体３ｂに接合されている態様が、第１実施形態のテープ型紙おむつ１０とは異なる。第２実施形態のテープ型紙おむつ１０ｂの他の点については、第１実施形態のテープ型紙おむつ１０と同じである。
【００７６】
図８は、第２実施形態の吸収体を備えたテープ型紙おむつ１０ｂを示す平面図である。なお、第２実施形態のテープ型紙おむつ１０ｂを説明する際には、第１実施形態の構成と共通する構成については、共通する数字の符号を使用する。第１実施形態の構成と同一ではないが対応する構成については、第１実施形態の当該構成と同一の数字の符号に、それぞれ区別のために小文字のアルファベット「ｂ」を付したものを使用する。
【００７７】
第１実施形態においては、吸収体３、防水シート４、および弾性部材６８，６８は、着用者の前後方向について、着用者の大小便が及ぶことが想定される範囲ＳＲに、設けられている（図１参照）。そして、表面シート１のセンターシート１２と弾性部材６８，６８は、Ｘ軸方向の両端近傍の部位３Ｆ１，３Ｆ２において、着用者の尿や体液で濡れた状態にあっても、拘束を維持するように、吸収体３に固定されている（図１参照）。
【００７８】
第２実施形態のテープ型紙おむつ１０ｂにおいては、表面シート１ｂのセンターシート１２ｂと弾性部材６８ｂ，６８ｂは、センターシート１２ｂや弾性部材６８ｂ，６８ｂや吸収体３ｂが着用者の尿や体液で濡れた状態にあっても拘束を維持するようには、吸収体３ｂに固定されていない。しかし、第２実施形態においては、吸収体３ｂ、防水シート４ｂ、および弾性部材６８ｂ，６８ｂは、着用者の前後方向（図８においてＸ軸方向）について、着用者の大小便が及ぶことが想定される範囲ＳＲを超えて設けられている。そして、表面シート１ｂのセンターシート１２ｂと弾性部材６８ｂ，６８ｂは、着用者の大小便が及ぶことが想定される範囲ＳＲを超えて、吸収体３ｂに圧着されている。
【００７９】
このような態様においては、センターシート１２ｂと弾性部材６８ｂ，６８ｂを、濡れた状態にあっても拘束を維持するように、吸収体３ｂに固定する必要がない。このため、第１実施形態のテープ型紙おむつ１０に比べて生産工程を減らすことができる。また、そのような固定のための接着剤などの材料を用意する必要がない。このため、テープ型紙おむつ１０ｂの生産コストを低減することができる。
【００８０】
センターシート１２ｂと弾性部材６８ｂ，６８ｂは、吸収体３ｂが液体を吸収していない状態において、吸収体３ｂに拘束されており、吸収体３ｂが液体を吸収した状態において、吸収体３ｂへの拘束を解除されるように、吸収体３ｂに接合されている。しかし、表面シート１ｂのセンターシート１２ｂと弾性部材６８ｂ，６８ｂは、大小便が及ぶことが想定される範囲ＳＲを超えて吸収体３ｂに圧着されている。このため、着用者が大小便を排出した後も、Ｘ軸方向について範囲ＳＲ外に位置する両側の部位において、センターシート１２ｂと弾性部材６８ｂ，６８ｂの接合は維持される。
【００８１】
このため、着用者が軟便や小便を排出した後は、第１実施形態と同様、Ｘ軸方向の両端が固定され、中間部位においてセンターシート１２ｂと弾性部材６８ｂ，６８ｂは、吸収体３ｂから離間する（図４参照）。よって、着用者が軟便を排出した後は、センターシート１２ｂが波状に折り畳まれ、凹部ＣＰにおいて、軟便を保持することができる。
【００８２】
第２実施形態においては、表面シート１ｂのセンターシート１２ｂのうち、弾性部材６８ｂ，６８ｂが配されている部位とは異なる一部の範囲にのみ、圧着部１２２ｂが配されている。より具体的には、圧着部１２２ｂは、テープ型紙おむつ１０の中心軸ＣＬ１を含み、弾性部材６８ｂ，６８ｂが設けられている部位に及ばない幅の範囲ＰＲに設けられている。
【００８３】
このような態様とすることにより、センターシート１２ｂと吸収体３ｂとの熱圧着などの接合処理によって、センターシート１２ｂと弾性部材６８ｂ，６８ｂの接合が阻害されることがない。このため、弾性部材６８ｂ，６８ｂがセンターシート１２ｂから離れてしまう可能性を低減することができる。また、センターシート１２ｂと吸収体３ｂとの圧着によって、弾性部材６８ｂ，６８ｂが変質してしまうことがない。このため、吸収体３ｂから離間する前または離間した後において、圧着部１２２ｂと重なっていた部位で弾性部材６８ｂ，６８ｂが切れてしまう可能性を、低減することができる。
【００８４】
第１実施形態のテープ型紙おむつ１０においては、表面シート１のセンターシート１２と弾性部材６８，６８とは、Ｘ軸方向に沿って断続的に接合されている。しかし、第２実施形態のテープ型紙おむつ１０ｂにおいては、表面シート１ｂのセンターシート１２ｂと弾性部材６８ｂ，６８ｂとは、Ｘ軸方向に沿って連続的に接合されている。
【００８５】
このような態様としても、センターシート１２ｂが吸収体３ｂから離間した状態で弾性部材６８ｂ，６８ｂが収縮すると、センターシート１２ｂには、各弾性部材６８ｂ，６８ｂを中心に放射状に皺がよる。その結果、一対の弾性部材６８ｂ，６８ｂの間の部位においては、センターシート１２ｂは、波状に折れ曲がり、凹部ＣＰが形成されることとなる（図４参照）。その結果、第１実施形態と同様、凹部ＣＰにおいて、軟便を保持することができる。
【００８６】
なお、本実施形態における範囲ＳＲが、課題を解決するための手段における「着用者の前後方向について着用者の大小便が及ぶことが想定される範囲」に相当する。
【００８７】
Ｃ．変形例：
この発明は上記の実施例や実施形態に限られるものではなく、その要旨を逸脱しない範囲において種々の態様において実施することが可能であり、例えば次のような変形も可能である。
【００８８】
Ｃ１．変形例１：
上記第１実施形態においては、吸収体３の長手方向の長さは、５０ｃｍである。しかし、吸収体の長手方向の長さは、想定される着用者に応じて、３０ｃｍ、３５ｃｍ、４０ｃｍ、４５ｃｍなど、任意の長さに設定することができる。たとえば、３歳児用のおむつにおいては、吸収体の長手方向の長さは、成人用のおむつの吸収体の長さ（５０ｃｍ）より小さく設定することができ、１歳児用のおむつにおいては、吸収体の長手方向の長さは、さらに小さく設定することができ、０歳児用のおむつにおいては、吸収体の長手方向の長さは、よりいっそう小さく設定することができる。
【００８９】
Ｃ２．変形例２：
上記実施形態においては、吸収体３は、略長方形の平面形状を備える（図１参照）。しかし、吸収性物品は、長円形や６角形、８角形など任意の平面形状を備えることができる。ただし、吸収性物品は、ある方向の寸法がその方向と垂直な方向の寸法とは異なる形状、すなわち長手方向と短手方向とを備える形状であり、長手方向が着用者の前後方向と一致する態様で使用される構成とすることが好ましい。
【００９０】
Ｃ３．変形例３：
上記実施形態においては、吸収体３の吸収部３２は、吸収性繊維と吸収性樹脂とで構成される。しかし、吸収体は、吸収性樹脂を含まず、吸収性繊維のみで構成することもできる。そのような態様においては、吸収体とシートとの接合は、たとえば、水溶性の接着剤を使用して実現することができる。吸収体とシートとの接合の変形例については、後にさらに説明する。
【００９１】
Ｃ４．変形例４：
上記実施形態においては、センターシート１２は、吸収体３に接して設けられている。しかし、おむつは、シートと吸収体との間に他の構成を有する態様とすることもできる。
【００９２】
Ｃ５．変形例５：
上記実施形態においては、弾性部材６８，６８は、センターシート１２の吸収体３側（Ｚ軸方向−側）の面に配されている。しかし、弾性部材は、シートの吸収体側とは逆の側に配されることもできる。また、弾性部材は、シートを縫うように（すなわち、シートの表裏に交互に表れるように）配されることもできる。さらに、弾性部材は、シートの中に編みこまれることもできる。すなわち、弾性部材は、シートおよび吸収体に対して２点以上を固定され、シートを収縮させつつ収縮できるように、配されていればよい。
【００９３】
Ｃ６．変形例６：
上記実施形態においては、一対の弾性部材６８，６８は、Ｘ軸方向に沿って互いに平行に配されている（図１および図８参照）。しかし、複数の弾性部材は、互いに並行に配されていてもよいし、互いに交差するように配されていてもよい。また、複数の弾性部材は、一端同士の間隔が他端同士の間隔よりも大きいように、並んで配されていてもよい。また、弾性部材は、２本に限らず、１本や、３本以上、設けることができる。さらに、弾性部材は、直線状に限らず、直線が屈曲した形状や、曲線状に配することもできる。
【００９４】
Ｃ７．変形例７：
上記実施形態においては、表面シート１と吸収体３とは、互いに熱圧着されている。しかし、シートと吸収体とは、熱圧着以外の方法で接合されることもできる。たとえば、シートと吸収体とは、水溶性の接着剤を使用して接合することができる。そのような態様としても、吸収体が液体を吸収していない状態において、吸収体に拘束されており、吸収体が液体を吸収した状態において、吸収体への拘束を解除されるように、シートを吸収体に接合することができる。また、加熱を伴わない局部的な押圧によって、上記のような接合が実現できる場合には、そのような加熱を伴わない押圧によって、シートと吸収体とを接合してもよい。
【００９５】
Ｃ８．変形例８：
上記実施形態においては、圧着部１２２は、テープ型紙おむつ１０を平面視した際に、Ｘ軸およびＹ軸とそれぞれ４５度をなす格子状に配される（図１参照）。しかし、シートと吸収体とが接合される部位は、任意の角度で交差する格子状のほか、複数の平行線状、放射状、同心円状、それらの組み合わせなど、他の態様とすることもできる。
【００９６】
Ｃ９．変形例９：
上記第１実施形態においては、センターシート１２と弾性部材６８，６８は、部位３Ｆ１，３Ｆ２において、センターシート１２や弾性部材６８，６８や吸収体３が着用者の尿や体液で濡れた状態にあっても、拘束が維持されるように、吸収体３に固定されている（図１参照）。一方、第２実施形態においては、第２実施形態においては、表面シート１ｂのセンターシート１２ｂと弾性部材６８ｂ，６８ｂは、センターシート１２ｂや弾性部材６８ｂ，６８ｂが着用者の尿や体液で濡れた状態にあっても拘束を維持するようには、吸収体３に固定されていない。
【００９７】
しかし、シートと弾性部材は、シートや弾性部材や吸収体が液体で濡れた状態にあっても拘束が維持されるように、１箇所において吸収体に固定され、他の箇所においてそのように固定されていない態様とすることもできる。そのような態様においては、シート、弾性部材および吸収体の上記のように固定されていない方の端は、着用者の前後方向について、着用者の大小便が及ぶことが想定される範囲外に設けられていることが好ましい。
【００９８】
Ｃ１０．変形例１０：
上記第１実施形態においては、センターシート１２と弾性部材６８，６８は、吸収体３のＸ軸方向の両端近傍の部位３Ｆ１，３Ｆ２において、吸収体３に固定されている（図１参照）。しかし、シートと弾性部材は、他の部位において、吸収体に固定されることもできる。たとえば、吸収体３の端から吸収体３の全長の２５％以下の範囲において、吸収体に固定されることもでき、吸収体３の端から吸収体３の全長の１０％以下の範囲において、吸収体に固定されることもできる。
【００９９】
また、シートと弾性部材は、Ｘ軸方向について互いに離れている３箇所や４箇所の部位など、３箇所以上の部位において、吸収体に固定されることもできる。ただし、弾性部材の伸長方向について離れた二つの部位において、シートと弾性部材は、吸収体に固定されることが好ましい。
【０１００】
Ｃ１１．変形例１１：
上記実施形態においては、表面シート１は、３個のシート、すなわち、センターシート１２と、サイドシート１４，１４とを備える。しかし、吸収体に接合されるシートは、１枚のシートから構成されてもよく、２個、４個、５個などの複数のシートで構成されてもよい。
【０１０１】
Ｃ１２．変形例１２：
上記実施形態においては、カバーシート２は、平面視した際に表面シート１と略一致する形状を有している。しかし、カバーシートと表面シートの形状および寸法が異なる態様とすることもできる。たとえば、カバーシートの外輪郭中に表面シート全体が配されるように、紙おむつを形成することが好ましい。このような態様とすることにより、紙おむつ全体のテープ型紙おむつ全体の強度を維持しつつ、表面シートをその機能を損なわない範囲で小さく生成することができる。
【０１０２】
Ｃ１３．変形例１３：
上記実施形態においては、ウェスト伸縮材５６は、２枚のシート部材と、２枚のシート部材の間に保持されている複数の弾性部材と、を含む。しかし、ウェスト伸縮材は、他の態様で構成することもできる。たとえば、ウェスト伸縮材としては、伸縮性を有する面形状のウレタンフォームも採用することもできる。すなわち、ウェスト伸縮材は、Ｙ軸方向について伸縮性を有し、ウェスト伸縮材が設けられている位置の近傍の構成を、Ｙ軸方向に弾性的に伸縮させることができるものであればよい。
【０１０３】
Ｃ１４．変形例１４：
上記実施形態においては、テープ型紙おむつを例に本発明を説明している。しかし、本発明のおむつは、パンツ型おむつや、尿取りライナー、軽失禁パッドなど、他の適用例に適用されることもできる。
【０１０４】
上記実施形態および変形例で説明した各構成は、様々な組み合わせで実現することができ、また、その一部を省略して実現することもできる。
【符号の説明】
【０１０５】
１，１ｂ…表面シート
２…カバーシート
３，３ｂ…吸収体
３Ｆ１，３Ｆ２…カバーシートと弾性部材６８が吸収体に固定されている部位
４，４ｂ…防水シート
１０，１０ｂ…テープ型紙おむつ
１０Ｂ…テープ型紙おむつの後部
１０Ｆ…テープ型紙おむつの前部
１０Ｍ…テープ型紙おむつの中央部
１２，１２ｂ…センターシート
１４…サイドシート
３２…吸収部
３３…コアラップシート
５２…固定テープ
５４…フロントパッチ
５６…ウェスト伸縮材
６２…ひれ部
６４…弾性部材
６６…弾性部材
６８，６８ｂ…弾性部材
１２２，１２２ｂ…圧着部
３３１…第１のシート
３３２…第２のシート
ＣＬ１…テープ型紙おむつの中心軸
ＣＬ２…テープ型紙おむつのＹ軸方向の中心
ＣＰ…凹部
ＰＲ…圧着部１２２ｂが設けられている範囲
ＳＲ…大小便が及ぶことが想定される範囲
ＵＢ…着用者の身体
Ｖａｃ…シートと吸収体の間の空間
【図１】
0006586917.tif 000002
【図２】
0006586917.tif 000003
【図３】
0006586917.tif 000004
【図４】
0006586917.tif 000005
【図５】
0006586917.tif 000006
【図６】
0006586917.tif 000007
【図７】
0006586917.tif 000008
【図８】
0006586917.tif 000009